(57)【要約】【課題】シーケンス制御を行うマイコンを有する誘導加熱調理器において、瞬時停電が発生すると供給電源の低下によりマイコンの機能が停止し、シーケンス制御が途中で止まってしまう。【解決手段】マイコンの供給電源の出力電圧を検知し、瞬時停電により電圧が低下するとマイコン以外の負荷の供給電源を遮断して、電圧低下を緩やかにし、マイコンの機能を長く維持する事で、シーケンス制御の途中で瞬時停電が起こり、加熱を停止し、表示を消しても、シーケンス制御の状態は維持されるので、瞬時停電から復帰した後、シーケンス制御を再開する事ができる。【選択図】図２
2011090985.tif 000002
【特許請求の範囲】
【請求項１】
加熱コイルを有する加熱手段と、前記加熱コイルの上方に設けられ被加熱物が載置されるトッププレートと、前記加熱コイルに高周波電流を供給するインバータと、商用電源を第１の直流電源に変換する第１の変換回路と、前記第１の直流電源を第２の直流電源に変換する第２の変換回路と、前記第１の直流電源を第３の直流電源に変換する第３の変換回路と、前記第１または第２の直流電源から電源供給される負荷１と、前記第１または第３の直流電源から電源供給される負荷２と、前記第２の直流電源から電源供給されるマスタマイコンと、前記第３の直流電源から電源供給されるスレーブマイコンと、前記負荷１、前記マスタマイコン、及び前記インバータを有するマスタ制御部と前記負荷２及び前記スレーブマイコンを有するスレーブ制御部とを備え、前記マスタ制御部およびスレーブ制御部は前記第１の直流電源の電圧を検知する検知回路を備え、前記マスタマイコンは前記電圧がレベル１以下になると前記インバータの動作を停止すると共に前記負荷１への電源供給を遮断し、前記スレーブマイコンは前記電圧がレベル１以下になると前記負荷２への電源供給を遮断する誘導加熱調理器。
【請求項２】
前記マスタマイコンは前記電圧がレベル１以下になると前記インバータの動作を停止し、前記レベル１より小さいレベル２以下になると前記負荷１への電源供給を遮断し、前記スレーブマイコンは前記電圧がレベル１以下になると前記負荷２への電源供給を遮断する請求項１に記載の誘導加熱調理器。
【請求項３】
前記スレーブマイコンは前記電圧がレベル１以下になると前記負荷２への電源供給を遮断し、前記レベル１より小さいレベル２以下になると前記スレーブマイコンへの電源供給を遮断する請求項１または２に記載の誘導加熱調理器。
【請求項４】
前記スレーブマイコンは前記第１または第３の直流電源から電源供給され、かつ前記負荷２より消費電力の多い負荷３を備え、前記スレーブマイコンは前記電圧がレベル１以下になると前記負荷３への電源供給を遮断し、前記レベル１より小さいレベル２以下になると前記負荷２への電源供給を遮断する請求項１〜３のいずれか１項に記載の誘導加熱調理器。
【発明の詳細な説明】
【技術分野】
【０００１】
本発明は、誘導加熱調理器に関するものであり、特に、停電検知装置に関するものである。
【背景技術】
【０００２】
従来、この種の誘導加熱調理器は、商用電源を直流電源に変換してマイクロコンピュータ（以下、マイコン）や電子回路に電源を供給しており、商用電源の瞬時停電時に商用電源の供給が止まると、直流電源も電圧が低下し、マイコンや電子回路がその機能を失う事を防ぐために瞬時停電を検知する機能が備わっている。
【０００３】
瞬時停電を検知すると、マイコンは電子回路の使用電流を抑制して、直流電源の電圧低下を緩やかにし、マイコンの動作をできるだけ長く維持できるようにしている。
【０００４】
従来、この種の瞬時停電の検知方法としては、商用電源のゼロクロス点を検出してゼロクロスパルスを発生させて、ゼロクロスパルスの有無で瞬時停電を検知している（例えば、特許文献１参照）。
【０００５】
図６は、特許文献１に記載された従来の瞬時停電検出装置の商用電源とゼロクロスパルスとの関係を示す図である。
【０００６】
図６に示すように、検出手段が商用電源１０１のゼロクロス点を検出するとゼロクロスパルス１０２を発生させ、商用電源の半周期ごとにゼロクロスパルス１０２の有無を判別し、ゼロクロスパルス１０２がない時に瞬時停電が発生したと判断する。
【０００７】
また、図７は、特許文献２に記載された従来の直流ブラシレスモータの停電検知装置の回路図を示す。
【０００８】
図７において、交流電源１０３からの電源を整流平滑し、コンデンサ１０４の電圧を第１の直流電源とし、第１の直流電源から第２の直流電源１０５に変換する。
【０００９】
３相直流ブラシレスモータ１０６は、インバータ装置１０７により駆動制御される。インバータ装置１０７はインバータ回路１０８及びマイコン１０９より構成される。
コンデンサ１０５ａは、第２の直流電源１０５の出力に接続されたコンデンサであり、装置１１０はマイコン１０９の入出力に接続された回路あるいはその回路より駆動されるその他の負荷など、マイコン１０９を除く電子回路、電気回路の全てを包含している。
【００１０】
装置１１０及びマイコン１０９は第２の直流電源１０５により動作している。従って、第１の直流電源１０４の電圧が下がると、第２の直流電源１０５の出力電圧はマイコン１０９及び装置１１０を動作させる事が不可能となる。
【００１１】
電圧監視装置１１１はコンデンサ１０４の直流電圧を抵抗で分圧し、その電圧情報をマイコン１０９に送っている。
マイコン１０９はその電圧情報が所定値以下になると装置１１０の電流が減少するようにマイコン１０９の出力端子を制御する。また、３相直流ブラシレスモータ１０６が回転中であれば、マイコン１０９は３相直流ブラシレスモータ１０６への電流供給を停止する。
【先行技術文献】
【特許文献】
【００１２】
【特許文献１】特開昭６１−１２９５８１号公報
【特許文献２】特開２００６−２９６１５４号公報
【発明の概要】
【発明が解決しようとする課題】
【００１３】
しかしながら、前記特許文献１の構成では、複数のマイコンや制御手段に対して、それぞれにゼロクロス点を検出する検出手段が必要になり、コストがかかると共に検出手段のための回路を実装するスペースを確保する必要がある。
【００１４】
また、ゼロクロス点を検知する回路は、商用電源の半周期ごとにしかゼロクロス点を検知できないので、停電が発生してから停電を検知するまでに時間差があるという課題を有していた。
【００１５】
前記特許文献２の構成では、複数のマイコンで構成された機器の場合、停電時に全てのマイコンへの電源供給を続けると第１の直流電源の出力電圧の低下が早まり、マイコンの動作が不可能となってしまう。
【００１６】
また、あるマイコンで停電を検知し、停電である事を他のマイコンに通信で知らせて各マイコンが通電制御している負荷の通電を遮断する場合、停電が発生してから負荷の通電を遮断するまでに通信時間がかかるので時間差が発生し、その間に第１の直流電源の出力電圧は低下してしまうといった課題を有していた。
【００１７】
本発明は、前記従来の課題を解決するもので、商用電源を整流平滑した直流電源の出力電圧の低下を緩やかにし、マイコンが完全にオフする事を防ぎ瞬時停電が解消された際に、停電前のシーケンス制御の続きを再開するようにして使い勝手を良くした誘導加熱調理器を提供することを目的とする。
【課題を解決するための手段】
【００１８】
前記従来の課題を解決するために、本発明の誘導加熱調理器は、加熱コイルを有する加熱手段と、前記加熱コイルの上方に設けられ被加熱物が載置されるトッププレートと、前記加熱コイルに高周波電流を供給するインバータと、商用電源を第１の直流電源に変換する第１の変換回路と、前記第１の直流電源を第２の直流電源に変換する第２の変換回路と、前記第１の直流電源を第３の直流電源に変換する第３の変換回路と、前記第１または第２の直流電源から電源供給される負荷１と、前記第１または第３の直流電源から電源供給される負荷２と、前記第２の直流電源から電源供給されるマスタマイコンと、前記第３の直流電源から電源供給されるスレーブマイコンと、前記負荷１、前記マスタマイコン、及び前記インバータを有するマスタ制御部と前記負荷２及び前記スレーブマイコンを有するスレーブ制御部とを備え、前記マスタ制御部およびスレーブ制御部は前記第１の直流電源の電圧を検知する検知回路を備え、前記マスタマイコンは前記電圧がレベル１以下になると前記インバータの動作を停止すると共に前記負荷１への電源供給を遮断し、前記スレーブマイコンは前記電圧がレベル１以下になると前記負荷２への電源供給を遮断するとしたものである。これによって、マスタマイコン及びスレーブマイコンに第１の直流電源の出力電圧を検知する検知回路から出力電圧を入力し、出力電圧が所定のレベルを下回ると、商用電源の供給が止まり停電状態にあると判断して、スレーブマイコンは負荷２への通電を遮断し第１の直流電源の消費電力を抑え、第１の直流電源の出力電圧の低下を緩やかにする事で、第２の直流電源の出力電圧の低下を緩やかにし、マスタマイコンが完全にオフする事を防ぐことになる。
【００１９】
以上より、マスタマイコンがシーケンス制御を行う場合、瞬時停電により負荷への通電
が遮断されても、マスタマイコンは動作しているため、停電が解消された際に、停電前のシーケンス制御の続きを再開する事ができる。
【００２０】
また、複数のマイコンがお互いに通信している誘導加熱調理器の場合、第１の直流電源の出力電圧が所定の値を下回ると、マイコンの中でも優先順位の低いマイコンへの通電を遮断して消費電力を抑制し、優先順位の高いマイコンを長く動作させる事ができる。
【発明の効果】
【００２１】
本発明の誘導加熱調理器は、ゼロクロス点を検出する検知回路と比べて、第１の直流電源の出力電圧を検知する検知回路は停電が発生した際の第１の直流電源の出力電圧の低下を時間差なく検知する事ができるため、素早く負荷の電源供給を遮断することができる。
【００２２】
また、複数のマイコンで制御を行う機器において、第１の直流電源の出力電圧を各マイコンが検知しているため、停電時には各マイコンが独立して負荷の電源供給を遮断する事ができ、マイコン間で通信を行って負荷の電源供給を遮断する場合に比べて素早く負荷を切り離す事ができる。
更に、優先順位の高いマイコンの機能は維持し、操作スイッチの検知など停電前の状態を維持する必要のない制御を行うマイコンは優先順位を低く設定し、停電検知時にはマイコンの機能を停止してしまう事で、優先順位の高いマイコンの機能を長く維持する事ができる。
【図面の簡単な説明】
【００２３】
【図１】本発明の実施の形態１における誘導加熱調理器のブロック図
【図２】本発明の実施の形態１における誘導加熱調理器の検知回路とマイコンの状態を示す図
【図３】本発明の実施の形態２、３における誘導加熱調理器のブロック図
【図４】本発明の実施の形態２における誘導加熱調理器の検知回路とマイコンの状態を示す図
【図５】本発明の実施の形態３における誘導加熱調理器の検知回路とマイコンの状態を示す図
【図６】従来の瞬時停電検出装置の商用電源とゼロクロスパルスとの関係を示す図
【図７】従来の直流ブラシレスモータの停電検知装置の回路図
【発明を実施するための形態】
【００２４】
第１の発明の誘導加熱調理器は、加熱コイルを有する加熱手段と、前記加熱コイルの上方に設けられ被加熱物が載置されるトッププレートと、前記加熱コイルに高周波電流を供給するインバータと、商用電源を第１の直流電源に変換する第１の変換回路と、前記第１の直流電源を第２の直流電源に変換する第２の変換回路と、前記第１の直流電源を第３の直流電源に変換する第３の変換回路と、前記第１または第２の直流電源から電源供給される負荷１と、前記第１または第３の直流電源から電源供給される負荷２と、前記第２の直流電源から電源供給されるマスタマイコンと、前記第３の直流電源から電源供給されるスレーブマイコンと、前記負荷１、前記マスタマイコン、及び前記インバータを有するマスタ制御部と前記負荷２及び前記スレーブマイコンを有するスレーブ制御部とを備え、前記マスタ制御部およびスレーブ制御部は前記第１の直流電源の電圧を検知する検知回路を備え、前記マスタマイコンは前記電圧がレベル１以下になると前記インバータの動作を停止すると共に前記負荷１への電源供給を遮断し、前記スレーブマイコンは前記電圧がレベル１以下になると前記負荷２への電源供給を遮断するものである。
【００２５】
これによって、停電によりマスタマイコン、スレーブマイコンの機能が停止するまでの時間を長くして、瞬時停電でマイコンがリセットする事を防ぐ事ができる。これにより自
動調理などのシーケンス制御の途中で瞬時停電が起こっても、停電前の状態を維持して自動調理を続ける事ができ、使い勝手のよい誘導加熱調理器を提供することができる。
【００２６】
第２の発明は、特に、第１の発明において、前記マスタマイコンは前記電圧がレベル１以下になると前記インバータの動作を停止し、前記レベル１より小さいレベル２以下になると前記負荷１への電源供給を遮断し、前記スレーブマイコンは前記電圧がレベル１以下になると前記負荷２への電源供給を遮断することにより、負荷の中でも優先順位の高い負荷は瞬時停電中も機能を維持し、優先順位の低い負荷は機能を停止させるため、機器の消費電力を抑制しつつ、必要な機能のみ動作させる事ができる。
【００２７】
第３の発明は、特に、第１または第２の発明において、前記スレーブマイコンは前記電圧がレベル１以下になると前記負荷２への電源供給を遮断し、前記レベル１より小さいレベル２以下になると前記スレーブマイコンへの電源供給を遮断することにより、マイコンの中でも優先順位の高いマイコンだけを瞬時停電中も機能を維持し、優先順位の低いマイコンは機能を停止させるため、機器の消費電力を効率よく抑制して優先順位の高いマイコンの機能が停止するまでの時間を長くして、瞬時停電でマイコンがリセットする事を防ぐ事ができる。
【００２８】
第４の発明は、特に、第１〜３の発明において、前記スレーブマイコンは前記第１または第３の直流電源から電源供給され、かつ前記負荷２より消費電力の多い負荷３を備え、前記スレーブマイコンは前記電圧がレベル１以下になると前記負荷３への電源供給を遮断し、前記レベル１より小さいレベル２以下になると前記負荷２への電源供給を遮断することにより、負荷の中でも消費電力の大きい負荷を停電検知後すぐに機能停止させて、停電発生からマイコンの機能が停止するまでの時間を長くして、瞬時停電でマイコンがリセットする事を防ぐ事ができる。
【００２９】
以下、本発明の実施の形態について、図面を参照しながら説明する。なお、本実施の形態によって、本発明が限定されるものではない。
【００３０】
（実施の形態１）
図１は本本発明の第１の実施の形態における誘導加熱調理器のブロック図、図２は本発明の第１の実施の形態における誘導加熱調理器の検知回路とマイコンの状態を示す図である。
【００３１】
図１において、商用電源１の電流を整流ダイオード２とコンデンサ３により直流平滑化し、スイッチングトランス４で第１の直流電源５に変換する第１の変換回路６と、第１の直流電源５をレギュレータ７に入力し、第２の直流電源８に変換する第２の変換回路９とを備えている。
【００３２】
本実施の形態では、第１の直流電源５の電圧を２０Ｖ、第２の直流電源１８の電圧を５Ｖとする。レギュレータ７は、入力電圧が１０Ｖ以上で、出力電圧５Ｖを安定して供給する。マスタマイコン１０は、入力電圧が３Ｖ以上で正常に動作する。
【００３３】
第２の直流電源８から電源供給されるマスタマイコン１０は、加熱コイル１１に高周波電流を供給するインバータ１２の制御を行う。
【００３４】
耐熱強化ガラスからなるトッププレート１３上に置いた鍋１４は、トッププレート１３下方の加熱コイル１１に流れる高周波電流により誘導電流が発生し、発熱する。
【００３５】
また、ニクロム線に交流電流を通電すると発熱するラジェントヒータ１５は、第１の直
流電源５から電源供給されるリレー１６を介して、マスタマイコン１０がヒータへの商用電源１の通電を制御する。リレー１６を負荷１とする。
【００３６】
次に、第１の直流電源５をレギュレータ１７に入力し、第３の直流電源１８に変換する第３の変換回路１９がある。本実施の形態では、第３の直流電源１８の出力電圧を５Ｖとする。
【００３７】
レギュレータ１７は、入力電圧が１０Ｖ以上で、出力電圧５Ｖを安定して供給する。スレーブマイコン２０は、入力電圧が３Ｖ以上で正常に動作する。
【００３８】
第３の直流電源１８から電源供給されるスレーブマイコン２０は、第１の直流電源５から電源供給されるブザー２１、第３の直流電源１８から電源供給されるＬＥＤなどの発光素子２２の通電を制御する。ブザー２１を負荷２、発光素子２２を負荷３とする。
【００３９】
マスタマイコン１０は、リレー１６以外にも温度センサやファンの通電制御及びスイッチやインバータ制御に必要なパラメータの電圧検知を行い、それらの負荷は第１の直流電源５または第２の直流電源８から電源供給される（図示せず）。
【００４０】
マスタマイコン１０は、温度センサやマイコン内の計時タイマの情報から自動調理などのシーケンス制御を行う（図示せず）。
【００４１】
スレーブマイコン２０は、ブザー２１、発光素子２２以外にも音声発生用のスピーカー、ＬＣＤ、静電タッチスイッチ検知用の高周波発生回路、及びスイッチの電圧検知を行い、それらの負荷は第１の直流電源５または第３の直流電源１８から電源供給される（図示せず）。
【００４２】
マスタマイコン１０とスレーブマイコン２０は互いに送受信を行う。
【００４３】
整流ダイオード２、コンデンサ３、スイッチングトランス４、第１の変換回路６、レギュレータ７、第２の変換回路９、マスタマイコン１０、インバータ１２、リレー１６はマスタ制御部２３とし、レギュレータ１７、第３の変換回路１９、スレーブマイコン２０、ブザー２１、発光素子２２はスレーブ制御部２４とする。
【００４４】
第１の直流電源５は、マスタ制御部２３及びスレーブ制御部２４に供給される。
【００４５】
マスタ制御部２３には、第１の直流電源５の電圧を検知する検知回路２５がある。検知回路２５は、ツェナー電圧が１５Ｖのツェナーダイオード２５ａとマスタマイコン１０に検知結果を入力するためのトランジスタ２５ｂで構成している。
【００４６】
以上のように構成された誘導加熱調理器について、以下その動作、作用を説明する。
【００４７】
検知回路２５のツェナーダイオード２５ａは、第１の直流電源５とＧＮＤ２６間に接続される。
【００４８】
第１の直流電源５の電圧は２０Ｖなので、通常はツェナーダイオード２５ａに逆電流が流れ、トランジスタ２５ｂがオンし、マスタマイコン１０に０ＶのＬｏ信号が入力される。マスタマイコン１０は、Ｌｏ信号が入力されると、第１の直流電源５は正常と判断する。
【００４９】
停電が起こり、商用電源１の供給が止まると、第１の直流電源５の電圧が低下し１５Ｖ
を下回る。すると、ツェナーダイオード２５ａは、逆電流を流さなくなるため、トランジスタ２５ｂはオフし、マスタマイコン１０に５ＶのＨｉ信号が入力される。マスタマイコン１０は、Ｈｉ信号が入力されると、第１の直流電源５は停電と判断する。
【００５０】
スレーブ制御部２４も同様の検知回路２７があり、ツェナー電圧が１５Ｖのツェナーダイオード２７ａと、スレーブマイコン２０に検知結果を入力するためのトランジスタ２７ｂとから成る。動作は検知回路２５と同じである。
【００５１】
以下に商用電源１の供給が止まった場合の機器の動作を説明する。
【００５２】
商用電源１の供給が止まり、ツェナ−ダイオード２７ａに逆電流が流れなくなると、ダイオード２７ｂがオフし、スレーブマイコン２０にＨｉ信号が入力される。スレーブマイコン２０は停電と判断し、ブザー２１や発光素子２２への電源供給を遮断する。
【００５３】
図２でＴ１１からＴ１４の間、商用電源１の供給が止まった時の動作を示す。Ｔ２１からＴ２４は、Ｔ１１からＴ１４と同じ時間である。
【００５４】
図２（ａ）検知回路なしに示すように、検知回路２７がない場合は、Ｔ１１で商用電源１の供給が止まると、第１の直流電源５の電圧が低下し始める。Ｔ１２で１０Ｖになるまで、第２の直流電源８は５Ｖを維持するが、１０Ｖを下回ると第２の直流電源８も電圧が低下し始める。
【００５５】
マスタマイコン１０は第２の直流電源８が３Ｖ以下になるとオフし、スレーブマイコン２０は第３の直流電源１８が３Ｖ以下になるとオフするので、２つのマイコンはＴ１３でオフし、オフしたマスタマイコン１０で制御するインバータ、オフしたスレーブマイコン２０で通電を制御するブザー２１及び発光素子２２もオフする。
【００５６】
Ｔ１４で商用電源１が供給を再開すると、第１の直流電源５、第２の直流電源８及び第３の直流電源１８の電圧は上昇し、Ｔ１６で第２の直流電源８及び第３の直流電源１８の電圧が３Ｖを越えると、マスタマイコン１０及びスレーブマイコン２０はオンする。
【００５７】
しかし、マスタマイコン１０は一度オフしてリセットされたので、オフする前のシーケンス制御は継続されない。
【００５８】
これに対し図２（ｂ）検知回路ありに示すように検知回路２７がある場合では、Ｔ２１で商用電源１の供給が止まり、第１の直流電源５の電圧は低下するが、電圧が１５Ｖになり停電を検知するとスレーブマイコン２０はブザー２１及び発光素子２２の通電を遮断する。また、マスタマイコン１０はインバータ１２をオフする。
【００５９】
第１の直流電源５が電源を供給する負荷がオフされた事で、消費電力が減少し、第１の直流電源５の電圧低下は緩やかになる。
【００６０】
図２（ａ）検知回路なしの場合と同様にＴ２３で第１の直流電源５の電圧が１０Ｖを下回ると第２の直流電源８も電圧が低下し始めるが、第１の直流電源５の電圧低下は緩やかなため、Ｔ２１からＴ２３の時間はＴ１１からＴ１２の時間と比べて長くなっている。
【００６１】
その後、Ｔ２４で商用電源１の供給が再開されるまでに第２の直流電源８の電圧は３Ｖを下回らないため、マスタマイコン１０はオフせず、シーケンス制御の情報は継続される。
【００６２】
Ｔ２５で第１の直流電源の電圧が１５Ｖを越えると、マスタマイコン１０は停電が解消されたと判断し、インバータをオンして、停電前のシーケンス制御を再開する。スレーブマイコン２０も停電が解消されたと判断すると、ブザー２１及び発光素子２２の通電を再開する。
【００６３】
検知回路２７がある場合は、負荷の通電を遮断して消費電力を少なくするので、停電が始まってからマスタマイコン１０がオフするまでの時間を伸ばすことができ、シーケンス制御の途中で短い停電が起こった場合に停電前のシーケンス制御の状態が途中で消えることなく保持されるので、停電復帰後にシーケンス制御を再開することができる。
【００６４】
停電によりマスタマイコン１０がオフすると炊飯などの自動調理のシーケンスがどこまで進んでいたかを記憶できず、停電が解消されても停電前の状態からシーケンスを再開ができないので、調理物を無駄にしてしまうが、短時間の停電が起こってもマスタマイコン１０がオフしなければ調理物の無駄が出ず、使い勝手の良い誘導加熱調理器を提供することができる。
【００６５】
（実施の形態２）
図３は本発明の第２の実施の形態における誘導加熱調理器のブロック図、図４は本発明の第２の実施の形態における誘導加熱調理器の検知回路とマイコンの状態を示す図である。
【００６６】
第１の実施の形態と同一部分には同一符合を付して説明を省略し、以下異なる部分についてのみ説明する。
【００６７】
マスタ制御部２３に、第１の直流電源５の電圧を検知する検知回路２８がある。検知回路２８は、ツェナー電圧が１７Ｖのツェナーダイオード２８ａとマスタマイコン１０に検知結果を入力するためのトランジスタ２８ｂを備えている。
【００６８】
スレーブ制御部２４に、第１の直流電源５の電圧を検知する検知回路２９がある。検知回路２９は、ツェナー電圧が１７Ｖのツェナーダイオード２９ａとスレーブマイコン２０に検知結果を入力するためのトランジスタ２９ｂを備えている。
【００６９】
Ｔ３１からＴ３５の間、商用電源１の供給が止まった時の動作を示す。
【００７０】
Ｔ３１で商用電源１の供給が止まり、第１の直流電源５の電圧は低下するが、Ｔ３２で電圧が１７Ｖになり停電を検知するとマスタマイコン１０はインバータをオフする。加えて、スレーブマイコン２０は発光素子２２と比べて消費電力の大きいブザー２１の通電を先に遮断する。
【００７１】
その後、Ｔ３３で電圧が１５Ｖになり停電を検知するとスレーブマイコン２０は発光素子２２の通電を遮断する。第１の直流電源５が電源を供給する負荷がオフされた事で、消費電力が減少し、第１の直流電源５の電圧低下は緩やかになる。また、消費電力の大きい負荷を先にオフすると、第１の直流電源５の電圧低下は更に緩やかになる。
【００７２】
Ｔ３４で第１の直流電源５の電圧が１０Ｖを下回ると第２の直流電源８も電圧が低下し始めるが、第１の直流電源５の電圧低下は緩やかなため、Ｔ３５で商用電源１の供給が再開されるまでに第２の直流電源８の電圧は３Ｖを下回らず、マスタマイコン１０はオフせず、シーケンス制御は継続される。
【００７３】
Ｔ３６で第１の直流電源５の電圧は１０Ｖを超えると、スレーブマイコン２０は発光素
子２２の通電を再開し、Ｔ３７で１７Ｖを超えるとブザー２１の通電を再開する。
【００７４】
以上により、負荷の中でも優先順位の高い負荷は瞬時停電中も機能を維持し、優先順位の低い負荷は機能を停止させるため、機器の消費電力を抑制しつつ、必要な機能のみ動作させる事ができる。
【００７５】
（実施の形態３）
図３は本発明の第３の実施の形態における誘導加熱調理器のブロック図である。
【００７６】
図５は本発明の第３の実施の形態における誘導加熱調理器の検知回路とマイコンの状態を示す図である。第１及び第２の実施の形態と同一部分には同一符合を付して説明を省略し、以下異なる部分についてのみ説明する。
【００７７】
Ｔ４１からＴ４４の間、商用電源１の供給が止まった時の動作を示す。
【００７８】
Ｔ４１で商用電源１の供給が止まり、第１の直流電源５の電圧は低下するが、電圧が１７Ｖになり停電を検知するとマスタマイコン１０はインバータをオフする。
更に電圧が１５Ｖになり停電を検知するとスレーブマイコン２０は自ら電源供給を遮断し、スレーブ制御部２４の全ての負荷をオフする。
第３の直流電源１８が電源を供給する負荷がオフされた事で、第１の直流電源５の消費電力も減少し、第１の直流電源５の電圧低下は緩やかになる。
【００７９】
Ｔ４３で第１の直流電源５の電圧が１０Ｖを下回ると第２の直流電源８も電圧が低下し始めるが、第１の直流電源５の電圧低下は緩やかなため、Ｔ４４で商用電源１の供給が再開されるまでに第２の直流電源８の電圧は３Ｖを下回らないため、マスタマイコン１０はオフせず、シーケンス制御は継続される。
【００８０】
Ｔ４４で商用電源１の供給が再開され、第１の直流電源５の電圧が１５Ｖを越えた事を検知すると、マスタマイコン１０はスレーブマイコン２０への電源供給を始め、スレーブマイコン２０はオンする。
【００８１】
停電中にスレーブマイコン２０への電源供給を遮断すると、一層消費電力は減少し、停電時間が長くなってもマスタマイコン１０はオフしないので、長時間の停電時にもシーケンス制御が中断せず、停電復帰後に継続して自動調理ができる。
【００８２】
本発明は上記し且つ図面に記載した実施例にのみ限定されるものではなく、次のような変形または拡張が可能である。
【００８３】
各電源の電圧、検知電圧は本実施例に示した数値に限らない。各電源に電源供給される負荷も本実施の形態に示したものに限らない。検知回路２５，２７，２８、及び２９はマスタ制御部及びスレーブ制御部のいずれかに１つあればよく、検知結果の入力線を他方のマイコンに配線すればよい。
【産業上の利用可能性】
【００８４】
以上のように、本発明にかかる誘導加熱調理器は、瞬時停電が発生しても停電前の状態を記憶できると停電から復帰した際にシーケンス制御を維持でき、使用者に使い勝手のよい機器を提供できるので、マイコンを搭載した洗濯機、炊飯器、シーケンス制御をおこなう電子機器等の用途にも適用できる。
【符号の説明】
【００８５】
１  商用電源
５  第１の直流電源
６  第１の変換回路
８  第２の直流電源
９  第２の変換回路
１０  マスタマイコン
１２  インバータ
１６  リレー（負荷１）
１８  第３の直流電源
１９  第３の変換回路
２０  スレーブマイコン
２１  ブザー（負荷２）
２２  発光素子（負荷３）
２３  マスタ制御部
２４  スレーブ制御部
２５  検知回路
【図１】
2011090985.tif 000003
【図２】
2011090985.tif 000004
【図３】
2011090985.tif 000005
【図４】
2011090985.tif 000006
【図５】
2011090985.tif 000007
【図６】
2011090985.tif 000008
【図７】
2011090985.tif 000009